(57)【特許請求の範囲】
【請求項１】
自装置を使用する使用者の情報を端末装置から取得し、取得した情報を用いて使用者に対する第１の認証を行う第１の認証手段と、
前記第１の認証において、前記端末装置から画像処理に関する指示を受け付ける受付手段と、
前記第１の認証が成功した使用者によって自装置にて行われる入力操作により当該使用者の情報を受け付けた場合に、前記受付手段にて受け付けた前記指示に基づく画像処理の実行を許可する第２の認証を行う第２の認証手段と、
前記第２の認証手段にて画像処理の実行が許可されたことを契機として、前記第１の認証が成功している他の使用者の他の端末装置の表示部において、画像処理の実行を予約する操作を受け付ける操作受付部が選択可能となるように当該操作受付部を表示させる表示制御手段と
を備える画像処理装置。
【請求項２】
前記第１の認証手段は、自装置にて行われる入力操作により、認証が成功していない使用者の情報を取得すると、当該使用者の情報を用いて前記第１の認証を行い、
前記第２の認証手段は、前記第１の認証が成功した前記使用者の操作により自装置にて指示された画像処理の実行を許可する前記第２の認証を行うこと
を特徴とする請求項１に記載の画像処理装置。
【請求項３】
前記第２の認証手段にて画像処理の実行が許可された場合に、前記第１の認証が成功している他の使用者の操作により他の端末装置から指示される画像処理の実行を予約する予約手段
をさらに備えることを特徴とする請求項１または２に記載の画像処理装置。
【請求項４】
前記予約手段は、前記画像処理の実行を予約した場合に、前記第２の認証手段にて許可された画像処理の実行を指示した前記端末装置と当該予約手段にて予約された画像処理の実行を指示した前記他の端末装置とを除く他の端末装置であって、前記第１の認証が成功している他の使用者の他の端末装置に対して、画像処理の実行に関する予約状況を通知すること
を特徴とする請求項３に記載の画像処理装置。
【請求項５】
前記第１の認証手段は、前記第２の認証手段にて画像処理の実行が許可された場合に、前記第１の認証が成功していない他の使用者の情報を他の端末装置から取得すると、取得した情報を用いて当該他の使用者に対する第１の認証を行うこと
を特徴とする請求項１乃至４のいずれか１項に記載の画像処理装置。
【請求項６】
前記表示制御手段は、自装置の表示部又は前記第２の認証手段にて許可された画像処理の実行を指示した前記端末装置の表示部において、即時に当該許可を解除する項目及び当該画像処理が終了した時点で当該許可を解除する項目の何れか一方の項目を受け付ける操作受付部を表示すること
を特徴とする請求項１乃至５のいずれか１項に記載の画像処理装置。
【請求項７】
前記第１の認証手段は、前記第１の認証が成功し、前記第２の認証手段にて画像処理の実行が許可された後、使用者の操作を基に、当該許可が解除された場合であっても当該第１の認証が成功した状態のままにする第１の処理と、当該許可が解除された時点で当該第１の認証が成功していない状態に戻す第２の処理との何れかの処理を行うこと
を特徴とする請求項１乃至６のいずれか１項に記載の画像処理装置。
【請求項８】
画像データを処理して記録媒体に画像を形成する画像処理装置と、
前記画像処理装置と通信を行う端末装置とを含み、
前記画像処理装置は、
自装置を使用する使用者の情報を前記端末装置から取得し、取得した情報を用いて使用者に対する第１の認証を行う第１の認証手段と、
前記第１の認証において、前記端末装置から画像処理に関する指示を受け付ける受付手段と、
前記第１の認証が成功した使用者によって前記画像処理装置にて行われる入力操作により当該使用者の情報を受け付けた場合に、前記受付手段にて受け付けた前記指示に基づく画像処理の実行を許可する第２の認証を行う第２の認証手段と、
前記第２の認証手段にて画像処理の実行が許可されたことを契機として、前記第１の認証が成功している他の使用者の他の端末装置の表示部において、画像処理の実行を予約する操作を受け付ける操作受付部が選択可能となるように当該操作受付部を表示させる表示制御手段と
を備えることを特徴とする画像処理システム。
【請求項９】
画像処理装置として機能するコンピュータに、
前記画像処理装置を使用する使用者の情報を端末装置から取得し、取得した情報を用いて使用者に対する第１の認証を行う機能と、
前記第１の認証において、前記端末装置から画像処理に関する指示を受け付ける機能と、
前記第１の認証が成功した使用者によって前記画像処理装置にて行われる入力操作により当該使用者の情報を受け付けた場合に、前記指示に基づく画像処理の実行を許可する第２の認証を行う機能と、
前記第２の認証にて画像処理の実行が許可されたことを契機として、前記第１の認証が成功している他の使用者の他の端末装置の表示部において、画像処理の実行を予約する操作を受け付ける操作受付部が選択可能となるように当該操作受付部を表示させる機能と
を実現させるためのプログラム。
【発明の詳細な説明】
【技術分野】
【０００１】
本発明は、画像処理装置、画像処理システムおよびプログラムに関する。
【背景技術】
【０００２】
公報記載の従来技術として、入力された画像形成装置の動作態様を定めるためのモード設定情報を一時的に記憶する記憶手段と、モード設定情報に含まれるユーザ特定情報及び占有要求情報に基づいて、画像形成装置の、ユーザ特定情報が指示するユーザによる占有の許否を決定する占有許否手段とを備えてなり、占有許否手段は、占有の許否をユーザについて定められた優先度情報に基づいて決定する画像形成装置が存在する。（特許文献１参照）
【０００３】
また、他の公報記載の従来技術として、デバイスを制御する装置であって、携帯端末から選択応答情報を取得し、この情報で指定されるサービスのデバイスにおける実行状態を判断し、実行可能であれば同サービスに対し排他実行権限を設定し、別の携帯端末による実行開始要求をブロックするようにしてから、デバイスに対してサービスの実行開始命令を送るデバイス制御装置が存在する。（特許文献２参照）
【０００４】
さらに、他の公報記載の従来技術として、装置本体の操作部と携帯型端末からそれぞれ操作設定要求を受け付けた場合に、受け付けた複数の操作設定要求から実行するジョブが競合するかを判断し、また、操作部を操作したユーザと携帯型端末を操作したユーザが同一ユーザか否かを判断し、ユーザ識別結果とジョブ内容の判断結果から、受け付けた操作設定の要求を許可するか否かを判断し、許可された操作設定のみを受け付ける画像形成装置が存在する。（特許文献３参照）
【先行技術文献】
【特許文献】
【０００５】
【特許文献１】特開２００５−２１９４１５号公報
【特許文献２】特開２００９−８６９７６号公報
【特許文献３】特開２０１４−１１６１９号公報
【発明の概要】
【発明が解決しようとする課題】
【０００６】
本発明は、端末装置の操作により使用者の認証を行うとともに画像処理装置の使用を許可する構成と比較して、画像処理装置の使用時の混乱を回避し、使用者の利便性の低下を抑制することを目的とする。
【課題を解決するための手段】
【０００７】
請求項１記載の発明は、自装置を使用する使用者の情報を端末装置から取得し、取得した情報を用いて使用者に対する第１の認証を行う第１の認証手段と、前記第１の認証において、前記端末装置から画像処理に関する指示を受け付ける受付手段と、前記第１の認証が成功した使用者によって自装置にて行われる入力操作により当該使用者の情報を受け付けた場合に、前記受付手段にて受け付けた前記指示に基づく画像処理の実行を許可する第２の認証を行う第２の認証手段と、前記第２の認証手段にて画像処理の実行が許可されたことを契機として、前記第１の認証が成功している他の使用者の他の端末装置の表示部において、画像処理の実行を予約する操作を受け付ける操作受付部が選択可能となるように当該操作受付部を表示させる表示制御手段とを備える画像処理装置である。
請求項２記載の発明は、前記第１の認証手段は、自装置にて行われる入力操作により、認証が成功していない使用者の情報を取得すると、当該使用者の情報を用いて前記第１の認証を行い、前記第２の認証手段は、前記第１の認証が成功した前記使用者の操作により自装置にて指示された画像処理の実行を許可する前記第２の認証を行うことを特徴とする請求項１に記載の画像処理装置である。
請求項３記載の発明は、前記第２の認証手段にて画像処理の実行が許可された場合に、前記第１の認証が成功している他の使用者の操作により他の端末装置から指示される画像処理の実行を予約する予約手段をさらに備えることを特徴とする請求項１または２に記載の画像処理装置である。
請求項４記載の発明は、前記予約手段は、前記画像処理の実行を予約した場合に、前記第２の認証手段にて許可された画像処理の実行を指示した前記端末装置と当該予約手段にて予約された画像処理の実行を指示した前記他の端末装置とを除く他の端末装置であって、前記第１の認証が成功している他の使用者の他の端末装置に対して、画像処理の実行に関する予約状況を通知することを特徴とする請求項３に記載の画像処理装置である。
請求項５記載の発明は、前記第１の認証手段は、前記第２の認証手段にて画像処理の実行が許可された場合に、前記第１の認証が成功していない他の使用者の情報を他の端末装置から取得すると、取得した情報を用いて当該他の使用者に対する第１の認証を行うことを特徴とする請求項１乃至４のいずれか１項に記載の画像処理装置である。
請求項６記載の発明は、前記表示制御手段は、自装置の表示部又は前記第２の認証手段にて許可された画像処理の実行を指示した前記端末装置の表示部において、即時に当該許可を解除する項目及び当該画像処理が終了した時点で当該許可を解除する項目の何れか一方の項目を受け付ける操作受付部を表示することを特徴とする請求項１乃至５のいずれか１項に記載の画像処理装置である。
請求項７記載の発明は、前記第１の認証手段は、前記第１の認証が成功し、前記第２の認証手段にて画像処理の実行が許可された後、使用者の操作を基に、当該許可が解除された場合であっても当該第１の認証が成功した状態のままにする第１の処理と、当該許可が解除された時点で当該第１の認証が成功していない状態に戻す第２の処理との何れかの処理を行うことを特徴とする請求項１乃至６のいずれか１項に記載の画像処理装置である。
請求項８記載の発明は、画像データを処理して記録媒体に画像を形成する画像処理装置と、前記画像処理装置と通信を行う端末装置とを含み、前記画像処理装置は、自装置を使用する使用者の情報を前記端末装置から取得し、取得した情報を用いて使用者に対する第１の認証を行う第１の認証手段と、前記第１の認証において、前記端末装置から画像処理に関する指示を受け付ける受付手段と、前記第１の認証が成功した使用者によって前記画像処理装置にて行われる入力操作により当該使用者の情報を受け付けた場合に、前記受付手段にて受け付けた前記指示に基づく画像処理の実行を許可する第２の認証を行う第２の認証手段と、前記第２の認証手段にて画像処理の実行が許可されたことを契機として、前記第１の認証が成功している他の使用者の他の端末装置の表示部において、画像処理の実行を予約する操作を受け付ける操作受付部が選択可能となるように当該操作受付部を表示させる表示制御手段とを備えることを特徴とする画像処理システムである。
請求項９記載の発明は、画像処理装置として機能するコンピュータに、前記画像処理装置を使用する使用者の情報を端末装置から取得し、取得した情報を用いて使用者に対する第１の認証を行う機能と、前記第１の認証において、前記端末装置から画像処理に関する指示を受け付ける機能と、前記第１の認証が成功した使用者によって前記画像処理装置にて行われる入力操作により当該使用者の情報を受け付けた場合に、前記指示に基づく画像処理の実行を許可する第２の認証を行う機能と、前記第２の認証にて画像処理の実行が許可されたことを契機として、前記第１の認証が成功している他の使用者の他の端末装置の表示部において、画像処理の実行を予約する操作を受け付ける操作受付部が選択可能となるように当該操作受付部を表示させる機能とを実現させるためのプログラムである。
【発明の効果】
【０００８】
請求項１記載の発明によれば、端末装置の操作により使用者の認証を行うとともに画像処理装置の使用を許可する構成と比較して、画像処理装置の使用時の混乱を回避し、使用者の利便性が低下することを抑制して、画像処理の実行中に、他の画像処理の実行を予約する操作を行うことが容易になる。
請求項２記載の発明によれば、画像処理装置に対して操作が行われた場合に、使用者の認証を行うとともに画像処理装置の使用を許可することができる。
請求項３記載の発明によれば、画像処理の実行を予約しない構成と比較して、使用者による画像処理装置の使用終了後、早期に他の使用者の使用を許可することができる。
請求項４記載の発明によれば、第２の認証手段にて許可された画像処理の実行を指示した端末装置と予約手段にて予約された画像処理の実行を指示した他の端末装置とを除く他の端末装置であって、第１の認証が成功している他の使用者の他の端末装置において、画像処理の実行に関する予約状況を把握することができるようになる。
請求項５記載の発明によれば、使用者が画像処理装置を使用している場合であっても、他の使用者の認証を行うことができる。
請求項６記載の発明によれば、使用者が画像処理装置を使用している場合に、使用者の意図に合わせて他の使用者に画像処理装置を使用させることができる。
請求項７記載の発明によれば、使用者は、画像処理の実行の許可が解除された場合であっても第１の認証が成功した状態のままにするか、又は、画像処理の実行の許可が解除された時点で第１の認証が成功していない状態に戻すか、何れかを選択することができる。
請求項８記載の発明によれば、端末装置の操作により使用者の認証を行うとともに画像処理装置の使用を許可する構成と比較して、画像処理装置の使用時の混乱を回避し、使用者の利便性が低下することを抑制して、画像処理の実行中に、他の画像処理の実行を予約する操作を行うことが容易になる。
請求項９記載の発明によれば、端末装置の操作により使用者の認証を行うとともに画像処理装置の使用を許可する構成と比較して、画像処理装置の使用時の混乱を回避し、使用者の利便性が低下することを抑制して、画像処理の実行中に、他の画像処理の実行を予約する操作を行うことを容易にする機能を、コンピュータにより実現できる。
【図面の簡単な説明】
【０００９】
【図１】本実施の形態に係る画像処理システムの全体構成例を示した図である。
【図２】本実施の形態に係る画像処理装置のハードウェア構成例を示した図である。
【図３】本実施の形態に係る画像処理装置の機能構成例を示したブロック図である。
【図４】ログインユーザリストの一例を示した図である。
【図５】予約リストの一例を示した図である。
【図６】（ａ）〜（ｃ）は、携帯端末の表示部に表示されるリモートアプリの画面の一例を示した図である。
【図７】画像処理装置がユーザ認証の処理を行う手順の一例を示したフローチャートである。
【図８】画像処理装置がユーザに対してデバイス使用権を付与する手順の一例を示したフローチャートである。
【図９】画像処理装置がデバイス使用権を予約する手順の一例を示したフローチャートである。
【図１０】画像処理装置がデバイス使用権の予約を解除する手順の一例を示したフローチャートである。
【図１１】画像処理装置がユーザにデバイス使用権を付与する手順の他の例を示したフローチャートである。
【図１２】画像処理装置がユーザにデバイス使用権を付与する手順の他の例を示したフローチャートである。
【図１３】画像処理装置がデバイス使用権およびユーザ認証を解除する手順の一例を示したフローチャートである。
【発明を実施するための形態】
【００１０】
以下、添付図面を参照して、本発明の実施の形態について詳細に説明する。
＜システム構成＞
まず、本実施の形態に係る画像処理システム１の全体構成について説明する。図１は、本実施の形態に係る画像処理システム１の全体構成例を示した図である。図示するように、画像処理システム１は、画像処理装置１０と、携帯端末２０Ａ、携帯端末２０Ｂ、携帯端末２０Ｃとを備えている。そして、画像処理装置１０と、携帯端末２０Ａ、携帯端末２０Ｂ、携帯端末２０Ｃとは、無線ネットワークを介して相互に通信を行うものとする。なお、図１には携帯端末２０Ａ、携帯端末２０Ｂ、携帯端末２０Ｃを示したが、以下、これらを区別する必要がない場合にはまとめて携帯端末２０と称する。また、図１に示す例では３つの携帯端末２０を示したが、携帯端末２０は１台または２台でも良く、また３台以上でも良いものとする。本実施の形態では、端末装置の一例として、携帯端末２０が用いられる。
【００１１】
画像処理装置１０は、用紙等の記録媒体に画像を形成して印刷処理を実行する装置である。画像処理装置１０としては、プリント機能のみを有するものを用いても良いが、プリント機能に加えて、スキャン機能、コピー機能、ファクシミリ機能等の他の画像処理機能を有するものを用いても良い。
【００１２】
そして、画像処理機能を実行するに際し、画像処理装置１０は、まず、携帯端末２０を操作するユーザ（画像処理装置１０を使用する使用者）について、認証に用いられる情報（以下、認証情報と称する）を携帯端末２０から受信し、ユーザ認証を行う。認証情報は、例えば、ユーザを識別するための識別情報であるユーザＩＤ及びパスワード等である。次に、画像処理装置１０は、ユーザ認証が成功した後、画像処理装置１０に設けられた認証機器を介して、さらに、ユーザ認証が成功したユーザの認証情報を受け付けると、そのユーザに対して、画像処理装置１０を使用する権利（以下、デバイス使用権と称する）を付与する。即ち、ユーザは、ユーザ認証が成功した時点では画像処理装置１０の使用を許可されておらず、さらにデバイス使用権を獲得することにより、画像処理装置１０の使用が許可され、画像処理機能が実行される。
【００１３】
ただし、認証機器を介して入力される認証情報は、ユーザ認証の際に用いられる認証情報と同一でなくても良く、例えばユーザＩＤのみ等、ユーザが特定される情報であればどのような情報でも良いものとする。さらに、詳しくは後述するが、ユーザが画像処理装置１０を操作することにより、ユーザ認証及びデバイス使用権付与の両方の処理が行われる場合もある。
【００１４】
携帯端末２０は、画像処理装置１０の各種機能を実行する際に用いられる携帯型の端末装置であり、例えば、スマートフォン、タブレットＰＣ（Personal Computer）、ノートＰＣ等が該当する。携帯端末２０は、画像処理装置１０にてプリント機能等の各種機能を実行させるためのアプリケーションソフトウェア（以下、リモートアプリと称する）を備えている。そして、ユーザは、リモートアプリにおいて認証情報を入力し、ユーザ認証が成功すると、リモートアプリにより、例えば、出力時のカラーや倍率等の設定、印刷ジョブの送信、コピーやプリントの実行指示等の操作を行う。ここで、印刷ジョブとは、印刷対象となる画像データと、印刷処理における設定が記述された制御命令とを含み、画像処理装置１０で実行される印刷処理の単位となるデータである。
【００１５】
携帯端末２０は、ユーザの操作をもとにリモートアプリを起動すると、まず、ユーザにより入力されたユーザの認証情報を受け付ける。ユーザにより認証情報が入力されると、携帯端末２０は、入力された認証情報を画像処理装置１０に送信する。そして、送信された認証情報をもとに画像処理装置１０にてユーザ認証が行われる。ここでユーザ認証が成功すると、携帯端末２０は、画像処理装置１０での出力に関する設定を行う操作や、画像処理装置１０に印刷ジョブを送信する操作等を受け付ける状態となる。ただし、この時点ではユーザに対してデバイス使用権が付与されていないため、携帯端末２０は、コピーの実行指示を行う操作や、プリントの実行指示を行う操作についてはまだ受け付けていない。その後、ユーザにデバイス使用権が付与されると、携帯端末２０は、画像処理装置１０に対してコピーやプリントの実行指示を行う操作を受け付ける状態となる。また、ユーザは、携帯端末２０を用いて画像処理装置１０にて画像処理機能を実行させる際に、リモートアプリの代わりにＷｅｂブラウザを使用することとしても良い。
【００１６】
このように、ユーザは、ユーザ認証が成功してデバイス使用権を獲得することで、画像処理装置１０の使用が許可される。ここで、デバイス使用権は、同時に複数のユーザに付与されることはないものとする。ただし、ユーザは、画像処理装置１０を使用したい場合にデバイス使用権がすでに他のユーザに付与されていれば、デバイス使用権を予約しても良い。複数のユーザがデバイス使用権を予約した場合には、予約した順番に従って、各ユーザに順にデバイス使用権が付与される。
【００１７】
＜画像処理装置１０のハードウェア構成＞
次に、画像処理装置１０のハードウェア構成について説明する。図２は、本実施の形態に係る画像処理装置１０のハードウェア構成例を示した図である。
【００１８】
ＣＰＵ（Central Processing Unit）１０１は、ＲＯＭ（Read Only Memory）１０２等に記憶された各種プログラムをＲＡＭ（Random Access Memory）１０３にロードして実行することにより、画像処理装置１０の主たる制御を行い、画像処理装置１０の各機能を実現する。
ＲＯＭ１０２は、ＣＰＵ１０１が実行する各種プログラムや、予め定められた固定データ等を記憶するメモリである。ＲＯＭ１０２については、例えばフラッシュメモリを用い書き換え可能な構成としても良い。
ＲＡＭ１０３は、ＣＰＵ１０１の作業用メモリ等として用いられるメモリである。ＲＡＭ１０３は、プログラム動作時にシステムメモリとして機能したり画像処理の際にページメモリとして機能したりする。
【００１９】
不揮発性メモリ１０４は、電源を供給しなくても記憶している情報を保持することが可能なメモリであり、画像調整に用いられるパラメータや、各種の履歴データを記憶する。
ＨＤＤ（Hard Disk Drive）１０５は、例えば磁気ディスク装置であり、画像読取部１１９が読み取った画像データや、画像形成部１２２における画像形成にて用いられる画像データ等を記憶する。
【００２０】
画像処理部１０６は、画像データの伸張圧縮処理など、画像データに対する処理を行う。
入出力制御部１０７は、ＩＣ（Integrated Circuit）カードリーダ１０８や人感センサ１０９を制御する。ＩＣカードリーダ１０８は、情報の記録や演算をするために集積回路（ＩＣ）が組み込まれたＩＣカードを読み取り、ＩＣカードに記録された情報を取得する。また、人感センサ１０９は、人や物の所在を検知するセンサであり、検知範囲内で人や物などが動作した場合にその動作を検知する。
また、ＣＰＵ１０１、ＲＯＭ１０２、ＲＡＭ１０３、不揮発性メモリ１０４、ＨＤＤ１０５、画像処理部１０６、入出力制御部１０７の各機能部は、バスを介して互いに接続されている。
【００２１】
ＵＩ（User Interface）１１０は、ＵＩインタフェース（ＩＦ）１１１を介してバスと接続されている。ＵＩ１１０には、スタートキー、ストップキー、テンキーなどのボタンにより構成され、ユーザにより操作される操作部１１２が設けられている。また、ＵＩ１１０には、液晶モニタなどにより構成され各種画像の表示を行うモニタ１１３が設けられている。なお、モニタ１１３がタッチパネル方式により構成される場合、モニタ１１３は操作部１１２としての役割も果たす。
【００２２】
ＬＡＮ（Local Area Network）ポート１１４は、外部とデータを入出力するためのインタフェースであり、例えば、１０Ｂａｓｅ−Ｔ、１００Ｂａｓｅ−Ｔ等の規格が存在する。また、ＬＡＮポート１１４は、無線通信のインタフェースとしての役割も果たす。
Ｓｅｒｉａｌポート１１５は、外部の周辺機器を接続するためのインタフェースである。
ＵＳＢ（Universal Serial Bus）ポート１１６は、ＵＳＢケーブルを介して周辺機器を接続するためのインタフェースであり、例えば、ＵＳＢ１．１、ＵＳＢ２．０等の規格が存在する。
モデム１１７は、ＦＡＸなどの公衆回線への接続を行う制御部であり、各種ＦＡＸ機能を提供可能とする。
また、ＬＡＮポート１１４、Ｓｅｒｉａｌポート１１５、ＵＳＢポート１１６、モデム１１７は、通信ＩＦ１１８を介してバスと接続されている。
【００２３】
画像読取部１１９は、用紙等に記録された画像を読み取る。ここで、画像読取部１１９は、例えばスキャナであり、光源から原稿に照射した光に対する反射光をレンズで縮小してＣＣＤ（Charge Coupled Devices）で受光するＣＣＤ方式や、ＬＥＤ光源から原稿に順に照射した光に対する反射光をＣＩＳ（Contact Image Sensor）で受光するＣＩＳ方式のものを用いると良い。また、画像読取部１１９は、自動的に原稿を送りながら原稿を読み取る自動原稿送り装置を含み、画像読取部１１９には、自動原稿送り装置に原稿がセットされたことを検知する原稿センサ１２０が設けられている。また、画像読取部１１９は、原稿の読み取りのために原稿を載せる透明版を含み、画像読取部１１９には、透明版を覆うカバーが開いたことを検知するカバーセンサ１２１が設けられている。
【００２４】
画像形成部１２２は、記録媒体の一例としての用紙等に画像を形成する。ここで、画像形成部１２２は、例えばプリンタであり、感光体に付着させたトナーを用紙に転写して像を形成する電子写真方式や、インクを記録媒体に吐出して像を形成するインクジェット方式のものを用いると良い。
また、画像読取部１１９及び画像形成部１２２は、装置ＩＦ１２３を介してバスと接続されている。
【００２５】
なお、図２は、本実施の形態が適用されるのに好適な画像処理装置１０のハードウェア構成を例示するに過ぎず、図示の構成においてのみ本実施の形態が実現されるのではない。
【００２６】
＜画像処理装置１０の機能構成＞
次に、画像処理装置１０の機能構成について説明する。図３は、本実施の形態に係る画像処理装置１０の機能構成例を示したブロック図である。
画像処理装置１０は、ユーザからの操作入力を受け付けるＵＩ処理部１１と、各種画像を表示する表示部１２と、各種センサによる検知を受け付けるセンサ処理部１３とを備える。また、画像処理装置１０は、ユーザ認証に用いられる認証情報を格納する認証情報格納部１４と、ユーザ認証が成功したユーザの情報を格納するログインユーザ情報格納部１５と、デバイス使用権を予約したユーザの情報を格納する予約情報格納部１６とを備える。さらに、画像処理装置１０は、携帯端末２０から受信した認証情報をもとにユーザ認証を行うユーザ管理部１７と、ユーザに対してデバイス使用権を付与するデバイス使用権管理部１８とを備える。
【００２７】
受付手段の一例としてのＵＩ処理部１１は、ユーザからの操作入力を受け付ける。ここで、ＵＩ処理部１１は、携帯端末２０から、画像処理に関する設定を行う指示や、画像処理を実行する指示等を受け付ける。また、ＵＩ処理部１１は、例えば、ユーザが操作部１１２のボタンを押下することで、画像処理装置１０に対する操作入力を受け付ける。また、ＵＩ処理部１１は、例えば、認証機器を介して、ユーザにより画像処理装置１０に対して入力された認証情報を受け付ける。ここで、認証機器とは、例えば、図２に示すＩＣカードリーダ１０８や操作部１１２である。
【００２８】
例えば、ＩＣカードリーダ１０８が認証機器として機能する場合、ユーザの認証情報が記録されたＩＣカードをユーザがＩＣカードリーダ１０８にかざすことで、近距離無線通信（例えば、近接場型の無線通信：ＮＦＣ（Ｎｅａｒ Ｆｉｅｌｄ Ｃｏｍｍｕｎｉｃａｔｉｏｎ））により、非接触で、ＩＣカードに記録された認証情報が入力される。また、例えば、操作部１１２が認証機器として機能する場合、ユーザが操作部１１２のボタンを押下することにより認証情報が入力される。また、モニタ１１３がタッチパネル方式により構成される場合、ユーザがモニタ１１３に表示されたボタン等を押下することにより、認証情報が入力される。さらに、例えば、ユーザは、携帯端末２０が有する近距離無線通信（例えば、Ｂｌｕｅｔｏｏｔｈ（登録商標））により、認証情報を入力しても良い。
【００２９】
表示部１２は、ユーザに対して各種画像を表示する。
【００３０】
センサ処理部１３は、各種センサ（人感センサ１０９、原稿センサ１２０、カバーセンサ１２１）による検知を受け付ける。例えば、センサ処理部１３は、原稿センサ１２０により原稿のセットが検知されると、検知されたことを受け付ける。
【００３１】
認証情報格納部１４は、ユーザ認証に用いられる認証情報が登録されたリスト（以下、認証情報リストと称する）を格納する。認証情報リストには、例えば画像処理システム１の管理者により、ユーザ認証が成功するものとして扱われるユーザの情報がユーザごとに予め登録されている。例えば、ユーザＩＤ（ユーザ名）、パスワード、コピーやプリント等のユーザに権限のある操作（即ち、ユーザが利用可能な操作）などの情報が登録されている。この認証情報リストは、ユーザ管理部１７がユーザ認証を行う際に参照される。本実施の形態では、認証情報格納部１４が認証情報リストを格納することとするが、認証情報リストは、外部サーバ（例えば、ＬＤＡＰ（Lightweight Directory Access Protocol）サーバ）へ格納されていても良い。
【００３２】
ログインユーザ情報格納部１５は、携帯端末２０から認証情報の入力を行うことでユーザ認証に成功したユーザ（以下、ログインユーザと称する）の情報が登録されたリスト（以下、ログインユーザリストと称する）を格納する。ログインユーザリストには、ユーザ認証に成功したユーザごとに、例えば、デバイス使用権が付与されているか否か、デバイス使用権を予約しているか否か等の情報が登録されている。このように、携帯端末２０からの操作によりユーザ認証に成功したユーザは、画像処理装置１０にログイン中のログインユーザとして管理される。ログインユーザリストの詳細については図４にて説明する。
【００３３】
予約情報格納部１６は、携帯端末２０からデバイス使用権を予約する操作を行ったユーザについて、デバイス使用権を付与される順番が登録されたリスト（以下、予約リストと称する）を格納する。予約リストの詳細については図５にて説明する。
【００３４】
第１の認証手段、表示制御手段の一例としてのユーザ管理部１７は、携帯端末２０から認証情報を受信すると、受信した認証情報をもとにユーザ認証を行う。ユーザ管理部１７は、デバイス使用権がいずれかのユーザに付与済みであるか否かに関わらず、携帯端末２０からユーザの認証情報を受信すると、そのユーザについてユーザ認証を行う。ユーザ認証において、ユーザ管理部１７は、認証情報格納部１４に格納された認証情報リストを参照し、携帯端末２０から受信した認証情報が認証情報リストに登録されているか否かを判定する。
【００３５】
認証情報が認証情報リストに登録されていれば、ユーザ管理部１７は、ユーザ認証に成功したものとして、認証情報リストの内容をもとに、画像処理装置１０に対してユーザが権限を持つ操作を可能にする。ただし、後述するように、ユーザ認証の成功時には、デバイス使用権はまだ付与されていない。
また、まだユーザ認証に成功していないユーザが画像処理装置１０の付近におり、そのユーザの認証情報が、認証機器を介して画像処理装置１０に入力された場合にも、ユーザ管理部１７は、認証情報リストを参照してユーザ認証を行う。本実施の形態では、第１の認証の一例として、認証情報をもとにユーザ認証を行う処理が用いられる。
【００３６】
第２の認証手段、予約手段、表示制御手段の一例としてのデバイス使用権管理部１８は、ユーザに対してデバイス使用権を付与して画像処理機能の実行を許可する。ここで、デバイス使用権管理部１８は、ＵＩ処理部１１が認証機器を介して認証情報を受け付けると（即ち、認証機器を介して画像処理装置１０に認証情報が入力されると）、デバイス使用権がすでにいずれかのユーザに付与されているか否かを判定する。デバイス使用権がすでに付与されていれば、デバイス使用権管理部１８は、デバイス使用権を付与済みであることを表示部１２に表示させる。
【００３７】
一方、デバイス使用権がまだ付与されていない場合、デバイス使用権管理部１８は、ログインユーザリストを参照して、受け付けた認証情報のユーザと一致するログインユーザが存在するか否かを判定する。一致するログインユーザが存在すれば、デバイス使用権管理部１８は、そのログインユーザ（即ち、受け付けた認証情報のユーザ）に対してデバイス使用権を付与し、ログインユーザの操作により携帯端末２０から指示された画像処理機能の実行を許可する。また、一致するログインユーザが存在しなければ、まだユーザ認証が成功していないユーザの認証情報が、認証機器を介して画像処理装置１０に入力されたこととなり、上述したようにユーザ管理部１７にてユーザ認証が行われる。ここでユーザ認証が成功すると、デバイス使用権管理部１８はそのユーザに対してデバイス使用権を付与し、画像処理装置１０において指示された画像処理機能の実行を許可する。本実施の形態では、第２の認証の一例として、認証情報を受け付けてデバイス使用権を付与する処理が用いられる。
【００３８】
さらに、デバイス使用権管理部１８は、デバイス使用権の予約を行う。ここで、デバイス使用権管理部１８は、携帯端末２０からデバイス使用権を予約する通知を受信すると、受信した通知をもとに、デバイス使用権を予約したユーザの情報を予約リストに登録する。また、デバイス使用権管理部１８は、携帯端末２０からデバイス使用権の予約を解除する通知を受信すると、受信した通知をもとに、デバイス使用権の予約を解除したユーザの情報を予約リストから削除する。
【００３９】
そして、ＵＩ処理部１１、センサ処理部１３、ユーザ管理部１７、デバイス使用権管理部１８は、例えば、図２に示すハードウェア構成におけるＣＰＵ１０１により実現される。より具体的には、画像処理装置１０の機能を実現するプログラムがＲＯＭ１０２に記憶されており、ＣＰＵ１０１がこのプログラムをＲＡＭ１０３にロードして実行することにより、ＵＩ処理部１１、センサ処理部１３、ユーザ管理部１７、デバイス使用権管理部１８の各機能が実現される。また、表示部１２は、例えば、モニタ１１３により実現される。さらに、認証情報格納部１４、ログインユーザ情報格納部１５、予約情報格納部１６は、例えば、不揮発性メモリ１０４やＨＤＤ１０５により実現される。
【００４０】
なお、ＣＰＵ１０１によって実行されるプログラムは、磁気記録媒体（磁気テープ、磁気ディスクなど）、光記録媒体（光ディスクなど）、光磁気記録媒体、半導体メモリなどのコンピュータが読取可能な記録媒体に記憶した状態で提供し得る。また、インターネットなどの通信手段を用いて画像処理装置１０にダウンロードさせてもよい。
【００４１】
＜ログインユーザリストの説明＞
次に、ログインユーザ情報格納部１５に格納されているログインユーザリストについて説明する。図４は、ログインユーザリストの一例を示した図である。
【００４２】
「ユーザＩＤ」は、ユーザを識別するためにユーザごとに付与される識別情報を示す。「端末ＩＤ」は、携帯端末２０を識別するために携帯端末２０ごとに付与される識別情報を示す。ただし、携帯端末２０を識別する情報として、端末ＩＤの代わりに、例えば携帯端末２０のＭＡＣアドレス等が用いられても良い。「セッションＩＤ」は、画像処理装置１０と携帯端末２０との間の接続ごとに付与される識別情報を示す。
【００４３】
「作業内容」は、ユーザに権限のある画像処理機能を示す。「作業状態」は、画像処理機能の実行状態を示す。「デバイス使用権」は、各ユーザがデバイス使用権を獲得済みであるか否かを示す。「連続占有」は、ユーザが複数の印刷ジョブを連続して印刷する連続占有の処理が可能か否かを示す。画像処理装置１０において、デバイス使用権を獲得したユーザの印刷ジョブが複数蓄積されている場合、そのユーザの連続占有が「可」となる。「使用権予約」は、各ユーザがデバイス使用権を予約済みであるか否かを示す。
【００４４】
そして、図示の例では、ユーザＩＤが「User1」、「User2」、「User3」を示す３人のユーザがユーザ認証成功済みであり、各ユーザはそれぞれ、端末ＩＤが「端末A」、「端末B」、「端末C」を示す携帯端末２０を操作している。また、画像処理装置１０と各携帯端末２０との間の接続に付与されたセッションＩＤは、それぞれ「session01」、「session02」、「session03」である。さらに、作業内容として、プリント機能を示す「Print」、コピー機能を示す「Copy」が登録されており、作業内容に対する作業状態として、「発送済」、「実行中」が登録されている。例えば、「User1」のプリント機能は「発送済」であり、「端末A」の操作により生成された印刷ジョブが、画像処理装置１０に発送済み（送信済み）の状態であることを表す。また、例えば、「User2」のプリント機能は「実行中」であり、プリント機能が画像処理装置１０にて実行中であることを表す。
【００４５】
また、デバイス使用権について、「User2」のユーザが「獲得済」であり、デバイス使用権を獲得済みであることを示す。他のユーザはデバイス使用権を獲得しておらず、「なし」と登録されている。さらに、「User2」のユーザの連続占有は「可」であり、印刷ジョブの印刷処理が終了する前に、次の印刷ジョブも続けて印刷するか否か「User2」のユーザへ問い合わせが行われる。ここで、ユーザが続けて印刷することを選べば、次の印刷ジョブの印刷処理が行われる。また、デバイス使用権の予約について、「User1」のユーザが「予約済」であり、デバイス使用権を予約する操作を行ったことを示す。他のユーザは、デバイス使用権を予約しておらず、「なし」と登録されている。
【００４６】
＜予約リストの説明＞
次に、予約情報格納部１６に格納されている予約リストについて説明する。図５は、予約リストの一例を示した図である。
【００４７】
「番号」は、予約リストに登録されている各ユーザに付与された番号を示す。デバイス使用権を予約した各ユーザには、予約した順番に番号が付与される。「ユーザＩＤ」は、予約リストに登録されているユーザの識別情報（ユーザＩＤ）を示す。例えば、携帯端末２０の表示部に表示された予約機能の有効化ボタン（以下、予約ボタンと称する）を押下して、デバイス使用権を予約する操作を行ったユーザのユーザＩＤを表す。「使用権付与の順番」は、デバイス使用権が付与される順番を表す。本実施の形態では、操作受付部の一例として、予約ボタンを用いている。
【００４８】
図示の例では、番号が「０」である「User1」について、使用権付与の順番には「使用権付与」と登録されており、現在、「User1」のユーザがデバイス使用権を獲得していることを表す。また、例えば、番号が「２」である「User2」について、使用権付与の順番には「予約優先２」と記録されている。即ち、「User2」のユーザは、デバイス使用権が付与される順番が２番目であり、１番目のユーザ（図５の例では「User3」のユーザ）にデバイス使用権が付与された後、次に「User2」のユーザにデバイス使用権が付与されることとなる。
【００４９】
＜携帯端末２０の表示部に表示される画面の例＞
次に、携帯端末２０の表示部に表示されるリモートアプリによる画面について説明する。図６（ａ）〜（ｃ）は、携帯端末２０の表示部に表示されるリモートアプリの画面の一例を示した図である。図６（ａ）〜（ｃ）において、携帯端末２０を操作するユーザはユーザ認証成功済みであり、画像処理装置１０にログイン中のログインユーザである。ここで、ユーザは、携帯端末２０でリモートアプリを起動させてユーザ認証の操作を行い、ユーザ認証が成功すると、ユーザに権限のある機能のメニューが画面に表示される。そして、ユーザが、例えば、権限のある機能のうちコピー機能を選択すると、コピー機能に対する設定や実行を行うための画面として、図６（ａ）〜（ｃ）の画面が表示されるものとする。
【００５０】
図６（ａ）は、デバイス使用権を獲得済みのユーザが操作する携帯端末２０の表示部に表示されるリモートアプリの画面の一例を示す図である。図示のように、画面の上部には、ユーザが画像処理装置１０（図６に示す画面ではデバイスと表示）にログイン中（即ち、ユーザ認証成功済み）であること、ユーザがデバイス使用権を獲得済みであることが表示される。また、設定ボタン２１ａは、用紙を給紙するために使用する給紙手段（図６に示す画面ではトレイと表示）を設定するためのボタンであり、設定ボタン２１ｂは、出力の際に画像データを拡大する（または、縮小する）倍率を設定するためのボタンである。さらに、設定ボタン２１ｃは、白黒で出力するか、カラーで出力するか等のカラーモードを設定するためのボタンである。また、設定ボタン２１ｃは、さらに、出力する部数を指定するためのボタンとして機能することとしても良い。
【００５１】
予約ボタン２２は、デバイス使用権の予約に用いられるボタンである。ただし、図示の例では、ユーザはデバイス使用権を獲得済みでありデバイス使用権を予約することはないため、予約ボタン２２は選択されない状態となっている。選択されない状態とは、例えば、予約ボタン２２が灰色に表示され（図６（ａ）に示す例では、斜線で示した部分）、ユーザが予約ボタン２２を選択しても携帯端末２０にて予約を受け付ける処理が実行されない状態である。また、処理実行ボタン２３は、携帯端末２０から画像処理装置１０に対して画像処理の実行を指示するためのボタンである。図示の例では、ユーザはデバイス使用権を獲得済みであるため、処理実行ボタン２３は選択操作を受け付ける状態となっている。即ち、ユーザが処理実行ボタン２３を選択すると、携帯端末２０は、画像処理装置１０に対して画像処理を実行する指示を行う。
【００５２】
次に、図６（ｂ）は、デバイス使用権を予約可能な状態のユーザが操作する携帯端末２０の表示部に表示されるリモートアプリの画面の一例を示す図である。図示のように、画面の上部には、ユーザが画像処理装置１０にログイン中であること、他のユーザに画像処理装置１０が使用されていることが表示される。また、ユーザはデバイス使用権の予約が可能な状態であり、予約ボタン２２は選択操作を受け付ける状態である。図示の例では、予約ボタン２２に「予約可能です」と表示され、デバイス使用権を予約可能な状態であることが示されている。一方、ユーザはデバイス使用権を獲得していないため、画像処理の実行指示は行われず、処理実行ボタン２３は選択されない状態となっている。
【００５３】
次に、図６（ｃ）は、デバイス使用権の予約を行ったユーザが操作する携帯端末２０の表示部に表示されるリモートアプリの画面の一例を示す図である。図示のように、画面の上部には、ユーザが画像処理装置１０にログイン中であること、他のユーザに画像処理装置１０が使用されていることが表示される。また、ユーザはデバイス使用権を予約済みであるため、予約ボタン２２は選択されない状態となっている。図示の例では、予約ボタン２２に「予約済み」と表示され、デバイス使用権を予約済みであることが示されている。一方、ユーザはデバイス使用権を獲得していないため、画像処理の実行指示は行われず、処理実行ボタン２３は選択されない状態となっている。
【００５４】
＜ユーザ認証の処理手順＞
次に、ユーザ認証の処理手順について説明する。図７は、画像処理装置１０がユーザ認証の処理を行う手順の一例を示したフローチャートである。図７に示す手順では、ユーザが携帯端末２０Ａを用いてユーザ認証の操作を行うものとして説明する。
【００５５】
まず、ユーザが携帯端末２０Ａにてリモートアプリを起動させて認証情報を入力することにより、認証情報が携帯端末２０Ａから画像処理装置１０へ送信される。そして、ユーザ管理部１７は、認証情報を受信する（ステップ１０１）。次に、ユーザ管理部１７は、認証情報格納部１４に格納された認証情報リストを参照して、受信した認証情報が認証情報リストに登録されているか否かを判定する（ステップ１０２）。認証情報が登録されていれば（ステップ１０２でＹｅｓ）、ユーザ管理部１７は、ユーザ認証を成功させる（ステップ１０３）。ここで、ユーザ認証が成功したユーザにおいて、例えば、認証情報リストにて、コピーとスキャンの権限があることが登録されている場合は、このユーザに対してコピーとスキャンについての画像処理装置１０の操作が可能となる。ただし、この時点では、このユーザにデバイス使用権が付与されるわけではない。また、デバイス使用権がすでに他のユーザに付与されていれば、デバイス使用権の予約が可能となる。一方、ユーザ認証が成功したとしても、ユーザ権限のない操作についてデバイス使用権の予約は不可である。
【００５６】
次に、ユーザ管理部１７は、ユーザ認証が成功した旨とデバイス使用権の付与状況を示す情報とを、認証情報の送信元である携帯端末２０Ａに対して通知し（ステップ１０４）、本処理フローは終了する。ここで、ユーザ認証が成功したため、上述したように、携帯端末２０Ａでは、ユーザが権限を有する機能について、画像処理装置１０の操作が可能となる。例えば、ユーザがプリントの権限を有する場合には、携帯端末２０Ａは、印刷設定や印刷ジョブの送信を受け付ける状態となる。送信された印刷ジョブは画像処理装置１０に蓄積される。また、例えば、ユーザがコピーの権限を有する場合には、携帯端末２０Ａは、コピーの際の倍率やカラーモード、出力部数の設定等を受け付ける状態となる。
【００５７】
しかし、このユーザに対してデバイス使用権はまだ付与されていないため、携帯端末２０Ａは、送信した印刷ジョブに対する印刷処理の実行を指示する操作や、設定した内容に基づくコピーの実行を指示する操作については、まだ受け付けていない。ここで、ユーザが携帯端末２０Ａの画面上で入力した情報、例えば、「コピー、カラー、３枚」（コピー機能によりカラーで３枚出力する）という情報について、画像処理装置１０にて蓄積されることとしても良いが、携帯端末２０に蓄積され、ユーザがデバイス使用権を獲得した段階で画像処理装置１０に送信されることとしても良い。
【００５８】
また、ステップ１０４にて通知されるデバイス使用権の付与状況を示す情報は、例えば、デバイス使用権を他のユーザに付与していることや、デバイス使用権をまだいずれのユーザにも付与していないこと等を示す情報である。そして、例えば、デバイス使用権が他のユーザに付与済みであれば、図６（ｂ）に示すように、携帯端末２０Ａにおいて、デバイス使用権の予約機能が有効化されて予約ボタンが選択操作を受け付ける状態となる。付言すると、ユーザ管理部１７がデバイス使用権の付与状況を示す情報を携帯端末２０Ａに通知することにより、携帯端末２０Ａの表示部の表示が制御され、予約ボタンが選択可能な状態となる。一方、例えば、デバイス使用権がまだいずれのユーザにも付与されていなければ、携帯端末２０Ａにおいて、予約ボタンは選択されない状態のままとなる。この場合、ユーザにデバイス使用権の獲得を促すメッセージを表示させてもよい。
【００５９】
さらに、ステップ１０２において、認証情報が登録されていなければ（ステップ１０２でＮｏ）、ユーザ管理部１７は、ユーザ認証が失敗した旨を認証情報の送信元である携帯端末２０Ａに対して通知し（ステップ１０５）、本処理フローは終了する。ここで、携帯端末２０Ａの表示部には、例えば、「一致するユーザがいません」等のメッセージが表示され、認証に失敗したことがユーザに通知される。
【００６０】
このように、画像処理装置１０を利用するユーザが携帯端末２０にて認証情報を入力すると、認証情報が画像処理装置１０に送信され、ユーザ認証の処理が行われる。また、ユーザは、ユーザ認証が成功すれば、ユーザが権限を有する機能についての操作が可能となり、携帯端末２０から印刷ジョブを送信して画像処理装置１０に蓄積させる操作等が行われる。出力に関する設定や印刷ジョブを送信する処理は、他のユーザにデバイス使用権が付与されている場合であっても実行されるものとする。
【００６１】
＜デバイス使用権の付与手順＞
次に、デバイス使用権の付与手順について説明する。図８は、画像処理装置１０がユーザに対してデバイス使用権を付与する手順の一例を示したフローチャートである。図８に示す手順では、図７と同様に、ユーザが携帯端末２０Ａを操作しているものとして説明する。
【００６２】
まず、ユーザが、画像処理装置１０の付近におり、画像処理装置１０に設けられた認証機器を介して認証情報を入力すると、ＵＩ処理部１１は、認証情報を受け付ける（ステップ２０１）。次に、ＵＩ処理部１１が認証情報を受け付けると、デバイス使用権管理部１８は、デバイス使用権をすでにいずれかのユーザに付与済みであるか否かを判定する（ステップ２０２）。ここで、デバイス使用権管理部１８は、ログインユーザ情報格納部１５に格納されたログインユーザリストを参照し、デバイス使用権が付与済みか否かを判定する。
【００６３】
デバイス使用権を付与済みであれば（ステップ２０２でＹｅｓ）、デバイス使用権管理部１８は、デバイス使用権を付与済みであることを表示部１２に表示させて（ステップ２０３）、本処理フローは終了する。ここで、表示部１２には、例えば、「User1が使用中です」等のメッセージが表示され、デバイス使用権を付与済みであることが、認証情報を入力したユーザに対して通知される。
【００６４】
一方、デバイス使用権を付与済みでなければ（ステップ２０２でＮｏ）、デバイス使用権管理部１８は、ＵＩ処理部１１が受け付けた認証情報を取得する（ステップ２０４）。そして、デバイス使用権管理部１８は、ログインユーザリストを参照し、取得した認証情報のユーザに一致するログインユーザが存在するか否か、即ち、取得した認証情報のユーザがユーザ認証成功済みであるか否かを判定する（ステップ２０５）。
【００６５】
一致するログインユーザが存在すれば（ステップ２０５でＹｅｓ）、デバイス使用権管理部１８は、そのログインユーザ、即ち、ステップ２０１にて認証情報を入力したユーザにデバイス使用権を付与する（ステップ２０６）。ここで、デバイス使用権管理部１８は、ユーザにデバイス使用権を付与したことを記録してログインユーザリストを更新する。そして、デバイス使用権管理部１８は、デバイス使用権を付与したことを各ログインユーザが操作するそれぞれの携帯端末２０に通知する（ステップ２０７）。
【００６６】
ここで、携帯端末２０Ａ（即ち、デバイス使用権が付与されたユーザが使用する携帯端末２０）は、デバイス使用権を付与した旨の通知により、印刷ジョブに対する印刷処理などの画像処理の実行指示を行う操作を受け付ける状態となる。具体的には、例えば、図６（ａ）に示すように、携帯端末２０Ａにおいて、表示部に表示された処理実行ボタン２３が、選択操作を受け付ける状態となる。一方、デバイス使用権を獲得したためにデバイス使用権の予約機能は無効化され、予約ボタンは選択されない状態となる。
【００６７】
また、携帯端末２０Ａを除くその他の携帯端末２０では、例えば、図６（ｂ）に示すように、携帯端末２０Ａを操作するユーザにデバイス使用権が付与された旨の通知により、デバイス使用権の予約機能が有効化され、予約ボタンは選択操作を受け付ける状態となる。付言すると、デバイス使用権管理部１８がデバイス使用権を付与したことを各携帯端末２０に通知することにより、各携帯端末２０の表示部の表示が制御され、予約ボタンが選択可能な状態となる。ただし、ステップ１０４にてすでに予約機能が有効化されていれば、予約ボタンは選択操作を受け付ける状態のままとなる。また、処理実行ボタン２３は、選択されない状態のままである。さらに、携帯端末２０Ａの表示部には、画像処理装置１０が他のユーザに使用されていることが表示される。そして、本処理フローは終了する。
【００６８】
また、ステップ２０５において、一致するログインユーザが存在しない場合（ステップ２０５でＮｏ）、ユーザはユーザ認証がまだ成功していないこととなる。即ち、携帯端末２０において認証情報が入力されるのではなく、画像処理装置１０において認証情報が入力されてユーザ認証が行われることとなる。付言すると、ステップ２０５において否定の判断（Ｎｏ）がされると、ユーザ管理部１７は、ユーザ認証が成功であるか否かを判定する（ステップ２０８）。ここでは、ユーザ管理部１７は、図７に示すステップ１０２及びステップ１０３と同様に、認証情報リストを参照し、認証情報が認証情報リストに登録されていればユーザ認証を成功させる。また、ユーザ管理部１７は、認証情報リストにてユーザの権限の確認を行い、権限のある操作のみについて実行可能とする。
【００６９】
ユーザ認証が成功である場合（ステップ２０８でＹｅｓ）、ユーザ管理部１７がユーザ認証を成功させるとともに、デバイス使用権管理部１８は、ユーザ認証が成功したユーザに対してデバイス使用権を付与し（ステップ２０９）、ステップ２０７に移行する。また、ユーザ認証が成功したユーザは、操作部１１２のボタン等を押下して画像処理を実行すれば良い。一方、ユーザ認証が成功ではない場合（ステップ２０８でＮｏ）、本処理フローは終了する。ここで、ユーザ認証が成功でなければ、例えば、ユーザに認証情報を再入力するように通知するためのメッセージ等が表示部１２に表示されることとしても良い。
【００７０】
このように、携帯端末２０の操作によりユーザ認証が行われた後、ユーザ認証が成功したユーザの認証情報が認証機器を介して画像処理装置１０に入力されると、画像処理装置１０は、ユーザに対してデバイス使用権を付与する。ただし、携帯端末２０を介して事前にユーザ認証に成功していないユーザが、認証機器を介して認証情報を入力すると、ユーザ認証及びデバイス使用権の付与の処理が合わせて実行される。
【００７１】
＜デバイス使用権の予約手順＞
次に、デバイス使用権の予約手順について説明する。図９は、画像処理装置１０がデバイス使用権を予約する手順の一例を示したフローチャートである。図９に示す手順では、あるユーザ（図９に示す例において、ユーザＩＤが「User1」のユーザとし、単に「User1」と称する）が、携帯端末２０Ａを用いてデバイス使用権を予約する操作を行うものとする。また、他のユーザ（図９に示す例において、ユーザＩＤが「User2」のユーザとし、単に「User2」と称する）が、携帯端末２０Ｂを操作してデバイス使用権をすでに獲得済みであるものとする。ここで、User1の携帯端末２０Ａの表示部には、例えば図６（ｂ）に示すように、画像処理装置１０が他のユーザ（User2）に使用されていることが表示される。
【００７２】
まず、User1が携帯端末２０Ａの表示部に表示された予約ボタンを選択することにより、デバイス使用権を予約する処理要求が携帯端末２０Ａから画像処理装置１０へ送信される。そして、デバイス使用権管理部１８は、デバイス使用権を予約する処理要求を受信する（ステップ３０１）。次に、デバイス使用権管理部１８は、受信した処理要求をもとに、デバイス使用権を予約したUser1の情報を予約リストに登録する（ステップ３０２）。
【００７３】
次に、デバイス使用権管理部１８は、携帯端末２０Ａに対してデバイス使用権の予約を受け付けた旨を通知する（ステップ３０３）。携帯端末２０Ａは通知を受けると、デバイス使用権を予約した旨を表示部に表示してUser1に通知する。ここで、デバイス使用権が予約されたことにより、例えば図６（ｃ）に示すように、携帯端末２０Ａの表示部において、予約ボタンは選択されない状態になる。
【００７４】
また、デバイス使用権管理部１８は、ログインユーザリストを参照して、各ログインユーザが操作する携帯端末２０のうち、携帯端末２０Ａ及び携帯端末２０Ｂ以外の各携帯端末２０に対して、デバイス使用権の予約状況を通知する（ステップ３０４）。この予約状況は予約リストに登録されている情報であり、デバイス使用権を獲得しているユーザの情報や、デバイス使用権を予約しているユーザ数、各ユーザがデバイス使用権を獲得するまでの順番などの情報が含まれる。予約状況を受け取った携帯端末２０は、デバイス使用権の予約状況を更新する。また、更新された予約状況が携帯端末２０の表示部に表示されることで、デバイス使用権を予約している各ユーザに対してデバイス使用権の予約状況が通知される。
【００７５】
また、図９に示す手順では、ステップ３０３及びステップ３０４の処理について、ステップ３０３の処理が先に行われることとしたが、ステップ３０４の処理が先に行われることとしても良い。また、ステップ３０３において、ステップ３０４と同様に、デバイス使用権管理部１８は、携帯端末２０Ａにデバイス使用権の予約状況を通知することとしても良い。
【００７６】
＜デバイス使用権の予約の解除手順＞
次に、デバイス使用権の予約を解除する手順について説明する。図１０は、画像処理装置１０がデバイス使用権の予約を解除する手順の一例を示したフローチャートである。図１０に示す手順では、あるユーザ（図１０に示す例において、ユーザＩＤが「User1」のユーザとし、単に「User1」と称する）が、携帯端末２０Ａを用いてデバイス使用権の予約を解除する操作を行うものとする。また、他のユーザ（図１０に示す例において、ユーザＩＤが「User1」のユーザとし、単に「User2」と称する）が、携帯端末２０Ｂを操作してデバイス使用権をすでに獲得済みであるものとする。
【００７７】
まず、User1が携帯端末２０Ａにてデバイス使用権の予約を解除する操作を行う。ここでは、例えば、User1が、携帯端末２０Ａの表示部に表示された、デバイス使用権の予約を解除するためのボタン（不図示）を選択する操作を行う。この操作により、デバイス使用権の予約を解除する処理要求が携帯端末２０Ａから画像処理装置１０へ送信される。そして、デバイス使用権管理部１８は、デバイス使用権の予約を解除する処理要求を受信する（ステップ４０１）。次に、デバイス使用権管理部１８は、受信した処理要求をもとに、デバイス使用権の予約を解除したUser1の情報を予約リストから削除する（ステップ４０２）。
【００７８】
次に、デバイス使用権管理部１８は、携帯端末２０Ａに対してデバイス使用権の予約解除を受け付けた旨を通知する（ステップ４０３）。携帯端末２０Ａは通知を受けると、デバイス使用権の予約を解除した旨を表示部に表示してUser1に通知する。ここで、デバイス使用権の予約が解除されたことにより、携帯端末２０Ａの表示部において、予約ボタンが選択操作を受け付ける状態となる。
【００７９】
また、デバイス使用権管理部１８は、予約リストをもとに、デバイス使用権の予約を解除したユーザ（User1）よりもデバイス使用権を付与される順番が遅いユーザに対して、デバイス使用権の予約状況を通知する（ステップ４０４）。付言すると、デバイス使用権管理部１８は、User1よりもデバイス使用権を付与される順番が遅いユーザが操作する携帯端末２０に対して、デバイス使用権の予約状況を通知する。予約状況を受け取った携帯端末２０は、デバイス使用権の予約状況を更新する。ここで、User1についてデバイス使用権の予約が解除されることで、User1よりも下位のユーザの順番が１つ上がることとなる。
【００８０】
また、図１０に示す手順では、ステップ４０３及びステップ４０４の処理について、ステップ４０３の処理が先に行われることとしたが、ステップ４０４の処理が先に行われることとしても良い。
【００８１】
＜デバイス使用権の付与手順の他の例＞
次に、デバイス使用権の付与手順の他の例について説明する。図１１は、画像処理装置１０がユーザにデバイス使用権を付与する手順の他の例を示したフローチャートである。図１１に示す手順では、デバイス使用権がまだいずれのユーザにも付与されていない場合に、画像処理装置１０が、ユーザが画像処理装置１０を操作可能な場所に存在していることを検知して、デバイス使用権を付与する処理を開始するものである。
【００８２】
ここで、画像処理装置１０は、例えば各種センサにより、ユーザが画像処理装置１０を操作可能な画像処理装置１０の付近に存在するか否かを判定する。即ち、原稿センサ１２０において原稿のセットを検知した場合や、カバーセンサ１２１においてカバーが開くことを検知した場合、人感センサ１０９において検知範囲内の動作を検知した場合に、画像処理装置１０は、ユーザが画像処理装置１０の付近に存在していると判定する。また、画像処理装置１０は、例えば、タッチパネルである表示部１２の画面への接触や、ＩＣカードリーダ１０８等の認証機器に対する入力操作により、ユーザが画像処理装置１０の付近に存在していると判定しても良い。
図１１に示す例では、画像処理装置１０は、原稿センサ１２０の検知により、ユーザが画像処理装置１０の付近に存在していると判定するものとして説明する。
【００８３】
まず、原稿センサ１２０により自動原稿送り装置に原稿がセットされたことが検知されると、センサ処理部１３は、検知されたことを受け付ける（ステップ５０１）。次に、センサ処理部１３が検知を受け付けたことにより、ユーザ管理部１７は、ユーザが画像処理装置１０を操作可能な画像処理装置１０の付近に存在していると判定する。そして、ユーザ管理部１７は、ユーザに認証情報を入力するように通知する（ステップ５０２）。ここでは、例えば、ユーザ管理部１７は、認証情報を入力することを促すメッセージを表示部１２に表示する。
【００８４】
次に、ＵＩ処理部１１が認証機器を介して認証情報を受け付けると（ステップ５０３）、デバイス使用権管理部１８は、ＵＩ処理部１１が受け付けた認証情報を取得する（ステップ５０４）。そして、デバイス使用権管理部１８は、ログインユーザリストを参照して、取得した認証情報のユーザに一致するログインユーザが存在するか否かを判定する（ステップ５０５）。
【００８５】
一致するログインユーザが存在すれば（ステップ５０５でＹｅｓ）、デバイス使用権管理部１８は、そのログインユーザ、即ち、ステップ５０３にて認証情報を入力したユーザにデバイス使用権を付与する（ステップ５０６）。次のステップ５０７の処理は、図８に示すステップ２０７の処理と同様であるため、ここでは説明を省略する。
【００８６】
一方、一致するログインユーザが存在しない場合（ステップ５０５でＮｏ）、図８に示すステップ２０５と同様に、ユーザはユーザ認証にまだ成功してないこととなる。そのため、図８に示すステップ２０８と同様に、ユーザ管理部１７は、ユーザ認証が成功であるか否かを判定する（ステップ５０８）。そして、ユーザ認証が成功であれば（ステップ５０８でＹｅｓ）、ユーザ管理部１７がユーザ認証を成功させるとともに、デバイス使用権管理部１８は、ユーザ認証が成功したユーザに対してデバイス使用権を付与し（ステップ５０９）、ステップ５０７に移行する。一方、ユーザ認証が成功ではない場合（ステップ５０８でＮｏ）、本処理フローは終了する。
【００８７】
このように、画像処理装置１０は、デバイス使用権がまだいずれのユーザにも付与されていない場合に、ユーザが画像処理装置１０を操作可能な画像処理装置１０の付近に存在していることを検知すると、ユーザに対して認証情報を入力するように促す処理を行う。そして、ユーザにより認証情報が入力されると、画像処理装置１０は、そのユーザがログインユーザに該当すればデバイス使用権を付与する。また、そのユーザがログインユーザに該当しなくても、ユーザ認証が成功すれば、画像処理装置１０は、ユーザにデバイス使用権を付与する。
【００８８】
＜デバイス使用権の付与手順の他の例＞
さらに、デバイス使用権の付与手順の他の例について説明する。図１２は、画像処理装置１０がユーザにデバイス使用権を付与する手順の他の例を示したフローチャートである。図１２に示す手順では、デバイス使用権がまだいずれのユーザにも付与されていない場合に、ユーザが画像処理装置１０の表示部１２に表示された画像を携帯端末２０のカメラで読み取り、読み取った画像に含まれる情報（以下、画像に含まれる情報を画像情報と称する）が有効であればそのユーザにデバイス使用権が付与される。
【００８９】
具体的には、表示部１２に表示された画像の画像情報には、画像情報を有効とする一定時間が定められている。そして、ユーザは、携帯端末２０にて画像を読み取り、読み取った画像の画像情報を携帯端末２０から画像処理装置１０へ送信する。そして、画像処理装置１０が画像情報を受信した際、画像情報にて定められた一定時間内であれば、画像処理装置１０は、画像情報を送信したユーザにデバイス使用権を付与する。
【００９０】
図１２に示す手順では、まず、画像処理装置１０は、例えば、表示部１２に画像を表示し始める時点から３０分間という一定時間を定め、定めた一定時間の情報を画像情報に設定して画像を表示部１２に表示する。次に、ユーザは、携帯端末２０Ａにてリモートアプリを起動させて、画像処理装置１０の表示部１２に表示された画像を携帯端末２０のカメラで読み取るとともに、ユーザの認証情報を入力する。そして、読み取られた画像の画像情報及び入力された認証情報が携帯端末２０Ａから画像処理装置１０へ送信されると、ユーザ管理部１７は、画像情報及び認証情報を受信する（ステップ６０１）。
【００９１】
次に、ユーザ管理部１７は、現在の時刻が、受信した画像情報にて定められた一定時間内であるか否かを判定する（ステップ６０２）。ここで、ユーザ管理部１７は、携帯端末２０から画像情報を受信すると、現在の時刻が画像情報にて定められた一定時間内であるか否か、例えば、現在の時刻が、画像の表示開始から３０分以内であるか否かを判定する。
【００９２】
一定時間内でなければ（ステップ６０２でＮｏ）、ユーザ管理部１７は、ユーザへ画像を再度読み込むように通知し（ステップ６０３）、本処理フローは終了する。ここでは、例えば、画像を再度読み込むように促すメッセージが表示部１２に表示される。ユーザは、ステップ６０１で読み取った画像とは別の、新たに表示部１２に表示されている画像を読み取れば良い。
【００９３】
一方、ステップ６０２において、一定時間内であれば（ステップ６０２でＹｅｓ）、ユーザ管理部１７は、図８に示すステップ２０８と同様に、ユーザ認証が成功であるか否かを判定する（ステップ６０４）。そして、ユーザ認証が成功であれば（ステップ６０４でＹｅｓ）、ユーザ管理部１７がユーザ認証を成功させるとともに、デバイス使用権管理部１８は、ユーザ認証が成功したユーザに対してデバイス使用権を付与する（ステップ６０５）。次に、ステップ６０６に移行するが、ステップ６０６の処理は図８に示すステップ２０７の処理と同様であるため、ここでは説明を省略する。また、ステップ６０４において、ユーザ認証が成功ではない場合（ステップ６０４でＮｏ）、本処理フローは終了する。
【００９４】
このように、画像処理装置１０は、デバイス使用権がまだいずれのユーザにも付与されていない場合、デバイス使用権を獲得するための画像を表示部１２に表示する。そして、画像処理装置１０は、画像情報で定められた一定時間内に携帯端末２０から画像を受信すると、その携帯端末２０を操作するユーザに対してデバイス使用権を付与する。画像処理装置１０は、画像情報で定められた一定時間内に画像を受信した場合にユーザにデバイス使用権を付与するため、ユーザが画像処理装置１０の付近にいる間にデバイス使用権の付与が行われる可能性が高まる。
【００９５】
また、図１２に示す例では、画像情報において一定時間が定められることとしたが、このような構成に限られるものではなく、画像情報を有効な期間を定める情報であれば、どのような情報が定められても良い。
【００９６】
＜デバイス使用権およびユーザ認証の解除＞
次に、デバイス使用権およびユーザ認証の解除について説明する。まず、デバイス使用権の解除について説明する。
ユーザは、デバイス使用権を獲得した後、どの時点でデバイス使用権を解除するか選択する。ここで、デバイス使用権を解除するタイミングとしては、ユーザがデバイス使用権を解除する操作を行った時点、または、ユーザの印刷ジョブで画像処理装置１０に蓄積された全ての印刷ジョブについて印刷処理が終了した時点のどちらかが選択される。以下では、デバイス使用権を解除する操作を行った時点でデバイス使用権の解除が行われる処理を、即時解除と称する。また、ユーザの全ての印刷ジョブについて印刷処理が終了した時点でデバイス使用権の解除が行われる処理を、印刷後解除と称する。
【００９７】
そして、ユーザが、例えば、表示部１２に表示された使用権解除ボタン（不図示）を選択し、さらに「即時解除」の項目を選択することにより、その時点でデバイス使用権を解除する即時解除の処理が行われる。ユーザは、例えば、すぐに印刷する必要のない場合や、他のユーザにすぐにデバイス使用権を付与したい場合に、即時解除を選択すれば良い。即時解除により、他のユーザにデバイス使用権が付与され、他のユーザによる画像処理が行われる。そのため、ユーザの意図に合わせて画像処理装置１０が使用されることとなる。
【００９８】
また、ユーザが、例えば、表示部１２に表示された使用権解除ボタンを選択して、さらに「印刷後解除」の項目を選択することにより、全ての印刷ジョブについて印刷処理が終了した後にデバイス使用権を解除する印刷後解除の処理が行われる。ユーザは、例えば、全ての文書についてまとめて印刷したい場合、自分の文書と他のユーザの文書とが混在するのを避けたい場合に、印刷後解除を選択すれば良い。
【００９９】
ここで、使用権解除ボタンについては、ユーザがデバイス使用権を獲得した後に選択されれば良く、例えば、印刷ジョブに対する印刷処理の実行中や印刷処理の実行後に選択されることとしても良い。
また、使用権解除ボタンは、表示部１２ではなく、携帯端末２０の表示部に表示されることとしても良い。携帯端末２０の表示部に表示された場合、携帯端末２０は、画像処理装置１０に対して、使用権解除ボタンが選択された旨の通知とともに、デバイス使用権を解除するタイミングとして選択された項目の内容を通知する。
【０１００】
さらに、デバイス使用権を解除する操作は、ユーザが使用権解除ボタンを選択し、さらに即時解除または印刷後解除の項目を選択する構成に限られるものではない。例えば、画像処理装置１０の初期設定として、印刷後解除が行われる設定がなされていても良い。この場合、例えば、ユーザが使用権解除ボタンを選択することで即時解除の処理が行われ、ユーザが使用権解除ボタンを選択しなければ、全ての印刷ジョブについて印刷処理が終了した後にデバイス使用権が解除されることとなる。
【０１０１】
次に、ユーザ認証の解除について説明する。ユーザ認証の解除とは、ユーザを、ユーザ認証が成功していない状態に戻すことをいう。ユーザ認証の解除において、ユーザは、デバイス使用権の解除とともにユーザ認証も解除するか、または、デバイス使用権が解除されてもユーザ認証を解除しないかのどちらかの項目を選択する。そして、ユーザが、例えば、表示部１２に表示された認証解除ボタン（不図示）を選択し、さらに「使用権とともに解除」の項目を選択することにより、デバイス使用権が解除されるタイミングでユーザ認証も解除される。ユーザは、例えば、印刷後解除を選択し、次に印刷をする予定がない場合に、デバイス使用権の解除とともにユーザ認証も解除することを選択すれば良い。
【０１０２】
また、ユーザは、例えば、表示部１２に表示された認証解除ボタンを選択し、さらに「使用権とは別に解除」の項目を選択することにより、デバイス使用権が解除されてもユーザ認証は解除されないままとなる。ユーザは、例えば、画像処理装置１０から離れた場所に移動するがリモートアプリを起動させたままにする場合や、他のユーザにデバイス使用権を譲ったが、後で印刷をする予定がある場合、デバイス使用権の解除とは別にユーザ認証を解除することを選択すれば良い。この場合には、別途、ユーザがユーザ認証を解除する操作を行うことにより、ユーザ認証が解除されることとなる。
【０１０３】
また、認証解除ボタンは、使用権解除ボタンと同様に、携帯端末２０の表示部に表示されることとしても良い。
さらに、ユーザ認証を解除する操作は、ユーザが認証解除ボタンを選択し、さらにデバイス使用権の解除とともにユーザ認証も解除するか否かの項目を選択する構成に限られるものではない。例えば、画像処理装置１０の初期設定として、デバイス使用権の解除とともにユーザ認証も解除する設定や、デバイス使用権の解除とは別にユーザ認証を解除する設定がなされていることとしても良い。また、例えば、ユーザが使用権解除ボタンを選択した際に、ユーザ認証の解除についての選択も行えることとしても良い。
【０１０４】
＜デバイス使用権およびユーザ認証を解除する手順＞
次に、デバイス使用権およびユーザ認証を解除する手順について説明する。図１３は、画像処理装置１０がデバイス使用権およびユーザ認証を解除する手順の一例を示したフローチャートである。図１３に示す手順では、ユーザが、携帯端末２０Ａを操作してデバイス使用権を獲得済みであるものとする。また、デバイス使用権の解除では、ユーザが使用権解除ボタンを選択してさらに項目を選択する操作が行われ、ユーザ認証の解除では、ユーザが認証解除ボタンを選択してさらに項目を選択する操作が行われるものとして説明する。
【０１０５】
まず、デバイス使用権管理部１８は、デバイス使用権を解除する操作が行われたか否かを判定する（ステップ７０１）。ここでは、例えば、ユーザにデバイス使用権が付与された後、表示部１２に表示された使用権解除ボタンが選択されると、デバイス使用権管理部１８は、デバイス使用権を解除する操作が行われたと判定する。また、例えば、携帯端末２０Ａの表示部に表示された使用権解除ボタンが選択された場合には、デバイス使用権管理部１８は、携帯端末２０Ａから使用権解除ボタンが選択された旨の通知を受けると、デバイス使用権を解除する操作が行われたと判定する。
【０１０６】
デバイス使用権を解除する操作が行われていなければ（ステップ７０１でＮｏ）、デバイス使用権管理部１８は、デバイス使用権を解除する操作が行われるまで待機する。一方、デバイス使用権を解除する操作が行われた場合（ステップ７０１でＹｅｓ）、デバイス使用権管理部１８は、ユーザにより即時解除が選択されたか否かを判定する（ステップ７０２）。即時解除が選択されていれば（ステップ７０２でＹｅｓ）、デバイス使用権管理部１８は、ユーザのデバイス使用権を解除する（ステップ７０３）。一方、即時解除が選択されていなければ（ステップ７０２でＮｏ）、ユーザに選択されたのは印刷後解除であり、デバイス使用権管理部１８は、ユーザの印刷ジョブで画像処理装置１０に蓄積された全ての印刷ジョブについて印刷処理が終了した時点でデバイス使用権を解除する（ステップ７０４）。そして、デバイス使用権管理部１８は、デバイス使用権を解除したことを、携帯端末２０Ａに通知する。
【０１０７】
また、ステップ７０３またはステップ７０４でデバイス使用権が解除された後、デバイス使用権管理部１８は、予約情報格納部１６に格納された予約リストを参照して、解除したデバイス使用権が予約されているか否かを判定する（ステップ７０５）。予約されていれば（ステップ７０５でＹｅｓ）、デバイス使用権管理部１８は、予約リストでデバイス使用権を付与される次の順番のユーザにデバイス使用権を付与する（ステップ７０６）。ここで、デバイス使用権管理部１８は、予約リストで次の順番のユーザが操作する携帯端末２０に対して、デバイス使用権を付与する順番がきたことを通知する。この通知をもとに、ユーザが認証機器を介して認証情報を入力すると、デバイス使用権管理部１８はデバイス使用権を付与する。
【０１０８】
次に、デバイス使用権管理部１８は、予約リストにおける予約の順番を更新する（ステップ７０７）。また、デバイス使用権管理部１８は、デバイス使用権を付与したことを各ログインユーザが操作するそれぞれの携帯端末２０に通知する。さらに、デバイス使用権管理部１８は、更新した予約リストをもとに、デバイス使用権を予約しているユーザが操作する携帯端末２０に対して、デバイス使用権の予約状況を通知する。
【０１０９】
次に、ステップ７０５においてデバイス使用権が予約されていない場合（ステップ７０５でＮｏ）、またはステップ７０７で予約リストが更新された後、ユーザ管理部１７は、ユーザ認証を解除する操作が行われたか否かを判定する（ステップ７０８）。ここでは、例えば、ユーザ認証が行われた後、表示部１２に表示された認証解除ボタンが選択され、デバイス使用権とともにユーザ認証を解除する項目が選択されていれば、ユーザ管理部１７はユーザ認証を解除する操作が行われたと判定する。
【０１１０】
ユーザ認証を解除する操作が行われていなければ（ステップ７０８でＮｏ）、ユーザ管理部１７は、ユーザ認証を解除する操作が行われるまで待機する。この場合、ユーザはユーザ認証に成功した状態のままとなり、引き続き、携帯端末２０Ａは、出力に関する設定や印刷ジョブの送信等の操作を受け付ける状態となる。一方、ユーザ認証を解除する操作が行われた場合（ステップ７０８でＹｅｓ）、ユーザ管理部１７は、ユーザ認証を解除する（ステップ７０９）。そして、ユーザ管理部１７は、ユーザ認証を解除したことを携帯端末２０Ａに通知する。
【０１１１】
次に、ユーザ管理部１７は、ユーザ認証の解除により解放可能なメモリの資源を解放し（ステップ７１０）、本処理フローは終了する。このメモリ資源の解放は、例えば不揮発性メモリ１０４の記憶領域に空きを作る処理であり、メモリ資源の解放により、新たなユーザのユーザ認証に用いられる記憶領域が確保される。
【０１１２】
このように、画像処理装置１０は、デバイス使用権について、即時解除や印刷後解除の処理を行う。また、画像処理装置１０は、ユーザ認証について、デバイス使用権とともに解除するか、またはデバイス使用権とは別に解除する処理を行う。画像処理装置１０がデバイス使用権の解除とユーザ認証の解除とを分けて管理することにより、デバイス使用権を解除してもユーザ認証は継続されるため、ユーザは、その後に画像処理装置１０を使用する際に認証情報を再度入力しなくて済み、ユーザの利便性が向上する。
【０１１３】
また、デバイス使用権の解除において、例えば、ユーザが画像処理装置１０を操作して印刷ジョブの印刷処理をキャンセルした場合、デバイス使用権管理部１８は、そのユーザのデバイス使用権を解除することとしても良い。さらに、例えば、ユーザが画像処理装置１０を操作してユーザ認証を解除した場合、デバイス使用権管理部１８は、ユーザのデバイス使用権を解除することとしても良い。また、ユーザ認証が成功した後、予め定められた時間内に認証機器を介して認証情報を入力しなかった場合、ユーザ管理部１７は、ユーザ認証を解除することとしても良いが、ユーザが再度印刷を試みる可能性もあるため、ユーザ認証を解除せずにそのままにしておいても良い。
【０１１４】
また、例えば、画像処理装置１０に不具合が発生した場合、ユーザが復旧のために画像処理装置１０を再起動しても、認証情報リストやログインユーザリストが例えば不揮発性メモリ１０４に記憶されていれば、これらのリストは再起動後も保持されたままになる。そのため、画像処理装置１０は、再起動した後、認証情報リストやログインユーザリストを参照し、ユーザ認証で成功済みの各ログインユーザが操作する携帯端末２０との接続を再開したり、再起動前にデバイス使用権を付与していたユーザに再度デバイス使用権を付与したりする処理を行うこととしても良い。また、画像処理装置１０は、再起動後に接続が成立しない携帯端末２０については、認証情報リストやログインユーザリストから削除することとしても良い。
【０１１５】
さらに、画像処理装置１０は、ユーザが携帯端末２０にてリモートアプリを終了させた後、そのユーザについてまだデバイス使用権やユーザ認証が解除されていなければ、デバイス使用権及びユーザ認証を解除する処理を行うこととしても良い。
【０１１６】
また、画像処理装置１０を使用していたユーザが画像処理装置１０の付近から離れた場合、ユーザが離れたことを人感センサ１０９が検知すると、デバイス使用権管理部１８は、ユーザの操作する携帯端末２０にてリモートアプリが終了していないことを条件に、ユーザ認証を維持したままデバイス使用権のみ解除することとしても良い。ユーザ認証が維持されることで、ユーザは認証情報の入力をせずに印刷の設定等を行える一方で、デバイス使用権が解除されることにより、他のユーザにデバイス使用権が付与されることとなる。
【０１１７】
以上、説明したように、画像処理装置１０は、ユーザ認証が成功したユーザにはまだデバイス使用権を付与せず、認証機器を介してさらに認証情報を入力したユーザに対してデバイス使用権を付与する。画像処理装置１０への接続が複数の携帯端末２０から行われる場合に、例えば、ユーザが携帯端末２０を操作し、ユーザ認証の成功とともにデバイス使用権の付与も行われると、画像処理装置１０の付近は無人であるにも関わらず、デバイス使用権を獲得していない他のユーザは画像処理装置１０の使用を許可されないという状況が起こり得る。即ち、ユーザが画像処理装置１０を操作するために画像処理装置１０の付近に行ったにも関わらず画像処理装置１０の使用が許可されないという状況が発生することで、画像処理装置１０使用時の混乱が生じてしまい、ユーザの利便性が低下する場合がある。
【０１１８】
本実施の形態では、画像処理装置１０は、ユーザ認証とデバイス使用権付与とを分けて行う。そして、ユーザ認証が成功すると、出力に関する設定や印刷ジョブの送信等、画像処理を実行するための事前設定が行われる。ここで、画像処理装置１０には複数の携帯端末２０が接続されるため、ユーザ認証に成功した各ユーザはそれぞれ携帯端末２０を操作して、画像処理の事前設定を行う。また、画像処理装置１０は、ユーザ認証に成功したユーザが認証機器を介して認証情報を入力した場合にデバイス使用権を付与する。そのため、画像処理装置１０の付近に存在するユーザに対してデバイス使用権が付与されることとなり、画像処理装置１０への接続が複数の携帯端末２０から行われる場合であっても、画像処理装置１０使用時の混乱が回避され、ユーザの利便性の低下が抑制される。
【０１１９】
なお、本発明を実施の形態を用いて説明したが、本発明の技術的範囲は上記実施の形態には限定されない。本発明の精神及び範囲から逸脱することなく様々に変更したり代替態様を採用したりすることが可能なことは、当業者に明らかである。
【符号の説明】
【０１２０】
１…画像処理システム、１０…画像処理装置、１１…ＵＩ処理部、１２…表示部、１３…センサ処理部、１４…認証情報格納部、１５…ログインユーザ情報格納部、１６…予約情報格納部、１７…ユーザ管理部、１８…デバイス使用権管理部、２０…携帯端末
【図１】
0006439316.tif 000002
【図２】
0006439316.tif 000003
【図３】
0006439316.tif 000004
【図４】
0006439316.tif 000005
【図５】
0006439316.tif 000006
【図６】
0006439316.tif 000007
【図７】
0006439316.tif 000008
【図８】
0006439316.tif 000009
【図９】
0006439316.tif 000010
【図１０】
0006439316.tif 000011
【図１１】
0006439316.tif 000012
【図１２】
0006439316.tif 000013
【図１３】
0006439316.tif 000014